(57)【要約】【課題】  この発明は、映像出力装置に接続されたＴＶの環境に適合しない映像出力方式に、映像出力方式を設定変更してしまった場合に、映像出力方式の設定のみを簡単に初期状態に戻すことができる映像出力装置を提供することを目的とする。【解決手段】  映像出力方式の設定を、映像出力装置に接続されたＴＶに表示される設定画面を利用して、ユーザに行わせるための設定手段、映像出力装置本体に設けられた操作部上および／または映像出力装置に操作信号を入力させるためのリモコン送信機上に設けられかつ映像出力方式初期化指令を入力させるための映像出力方式初期化キー、ならびに映像出力方式初期化キーが操作されることによって、映像出力方式初期化指令が入力されたときに、映像出力方式の設定のみを初期状態に戻す手段を備えている。【選択図】  図１
2006060750.tif 000002
【特許請求の範囲】
【請求項１】
映像出力方式の設定を、映像出力装置に接続されたＴＶに表示される設定画面を利用して、ユーザに行わせるための設定手段、
映像出力装置本体に設けられた操作部上および／または映像出力装置に操作信号を入力させるためのリモコン送信機上に設けられかつ映像出力方式初期化指令を入力させるための映像出力方式初期化キー、ならびに
映像出力方式初期化キーが操作されることによって、映像出力方式初期化指令が入力されたときに、映像出力方式の設定のみを初期状態に戻す手段、
を備えていることを特徴とする映像出力装置。
【請求項２】
映像出力方式の設定には、テレビジョン方式の設定、走査方式の設定および映像出力端子の種類の設定があることを特徴とする請求項１に記載の映像出力装置。
【発明の詳細な説明】
【技術分野】
【０００１】
この発明は、ＤＶＤプレーヤ等の映像出力装置に関する。
【背景技術】
【０００２】
ＤＶＤプレーヤ等の映像出力装置において、複数の方式で映像（ビデオ）信号を出力する機能と、映像出力装置に接続されたＴＶ（テレビジョン受像機）に表示される設定画面上でユーザに映像出力方式を設定させる機能とを備えたものが知られている。
【０００３】
しかしながら、映像出力装置に接続されたＴＶの環境に適合しない映像出力方式に、映像出力方式を誤って設定変更してしまった場合には、ＴＶに設定画面が表示されなくなるため、映像出力方式を初期状態に戻すことが困難になるという問題がある。
【発明の開示】
【発明が解決しようとする課題】
【０００４】
この発明は、映像出力装置に接続されたＴＶの環境に適合しない映像出力方式に、映像出力方式を設定変更してしまった場合に、映像出力方式の設定のみを簡単に初期状態に戻すことができる映像出力装置を提供することを目的とする。
【課題を解決するための手段】
【０００５】
請求項１に記載の発明は、映像出力方式の設定を、映像出力装置に接続されたＴＶに表示される設定画面を利用して、ユーザに行わせるための設定手段、映像出力装置本体に設けられた操作部上および／または映像出力装置に操作信号を入力させるためのリモコン送信機上に設けられかつ映像出力方式初期化指令を入力させるための映像出力方式初期化キー、ならびに映像出力方式初期化キーが操作されることによって、映像出力方式初期化指令が入力されたときに、映像出力方式の設定のみを初期状態に戻す手段を備えていることを特徴とする。
【０００６】
請求項２に記載の発明は、請求項１に記載の映像出力装置において、映像出力方式の設定には、テレビジョン方式の設定、走査方式の設定および映像出力端子の種類の設定があることを特徴とする。
【発明の効果】
【０００７】
この発明によれば、映像出力装置に接続されたＴＶの環境に適合しない映像出力方式に、映像出力方式を設定変更してしまった場合に、映像出力方式の設定のみを簡単に初期状態に戻すことができるようになる。
【発明を実施するための最良の形態】
【０００８】
以下、図面を参照して、この発明をＤＶＤプレーヤに適用した場合の実施例について説明する。
【実施例１】
【０００９】
図１は、ＤＶＤプレーヤの電気的構成を示している。
【００１０】
図１において、１はデータ取得部、２はストリームパーサ、３はオーディオ処理部、４はビデオ処理部、５はコントローラ、６はユーザインタフェイスである。ユーザインタフェイス６には、リモコン送信機またはＤＶＤプレーヤ本体に設けられた操作部が含まれる。
【００１１】
データ取得部１によって図示しないＤＶＤから映像情報および音声情報を含むストリームが取得され、ストリームパーサ２によってストリームから映像情報および音声情報が抽出される。ストリームパーサ２によって抽出された映像情報はビデオ処理部４に送られ、所定のビデオ処理が施された後、ビデオ信号として出力される。ストリームパーサ２によって抽出された音声情報はオーディオ処理部３に送られ、所定のオディオ処理が施されることによって、各スピーカ（例えば、ＦＬ，Ｃ，ＦＲ，ＳＬ，ＳＲ）に対応するオーディオ信号が出力される。
【００１２】
コントローラ５は、データ取得部１、ストリームパーサ２、オーディオ処理部３、ビデオ処理部４を制御する。コントローラ５には、ユーザインタフェイス６が接続されている。ユーザインタフェイス６（リモコン送信機および／またはＤＶＤプレーヤ本体に設けられた操作部）には、映像出力方式初期化キー６ａが設けられている。
【００１３】
なお、ビデオ処理部４は、現在設定されている映像出力方式に応じたビデオ信号を現在設定されている映像出力方式に応じた映像出力端子に出力する。映像出力方式の設定は、ユーザインタフェイス６からコントローラ５に所定の指示を入力することにより、ＤＶＤプレーヤに接続されたＴＶ（テレビジョン受像機）のモニタに映像出力方式の設定画面を表示させた後、その設定画面を利用して、ユーザインタフェイス６を操作することにより行われる。
【００１４】
映像出力方式の設定には、テレビジョン方式（この例では、ＮＴＳＣまたはＰＡＬ）の設定、走査方式（この例では、プログレッシブ方式またはインターレース方式）の設定および映像出力端子の種類（この例では、コンポーネント端子またはＳビデオ端子）の設定がある。この実施例では、映像出力方式の初期状態（初期値）は、ＰＡＬ、インターレース方式およびＳビデオ端子を選択した状態となっている。
【００１５】
また、オーディオ処理部３は、現在設定されている音声出力方式に応じたオーディオ信号を出力する。音声出力方式の設定は、ユーザインタフェイス６からコントローラ５に所定の指示を入力することにより、ＤＶＤプレーヤに接続されたＴＶのモニタにオーディオ出力方式の設定画面を表示させた後、その設定画面を利用して、ユーザインタフェイス６を操作することにより行われる。
【００１６】
音声出力方式の設定には、各スピーカの出力比を調整するためのスピーカバランスの設定と、各スピーカからユーザ（視聴者）に聞こえてくる音のタイミングのズレを補正する目的で、各スピーカに対する音の遅延時間差（ディレイタイム）の調整を行うためのスピーカディレイの設定とがある。
【００１７】
図２は、映像出力方式の設定処理手順を示している。
映像出力端子の設定変更が行われると（ステップＳ１）、コンポーネント端子またはＳビデオ端子の間で、映像出力端子を切り替える（ステップＳ２）。テレビジョン方式の設定変更が行われると（ステップＳ３）、ＮＴＳＣとＰＡＬとの間で、テレビジョン方式を切り替える（ステップＳ４）。走査方式の設定変更が行われると（ステップＳ５）、プログレッシブ方式またはインターレース方式の間で、走査方式を切り替える（ステップＳ６  ）。設定終了指令が入力されると（ステップＳ７でＹＥＳ）、今回の設定処理を終了する。
【００１８】
図３は、音声出力方式の設定処理手順を示している。
スピーカバランスの設定変更が行われると（ステップＳ１１）、各スピーカの音声信号の出力比を調整する（ステップＳ１２）。スピーカディレイの設定変更が行われると（ステップＳ１３）、各スピーカに対する音声信号のディレイタイムを調整する（ステップＳ１４）。設定終了指令が入力されると（ステップＳ１５でＹＥＳ）、今回の設定処理を終了する。
【００１９】
ところで、ＤＶＤプレーヤに接続されたＴＶの環境に合わない映像出力方式に、映像出力方式を誤って設定変更してしまった場合には、当該ＴＶには設定画面等のＤＶＤプレーヤから出力される映像が表示されなくなり、各種設定を行うことが困難になる。このため、設定画面上で、映像出力方式を初期状態に戻すことが困難になる。
【００２０】
例えば、ＤＶＤプレーヤのＳビデオ端子に、テレビジョン方式がＰＡＬで、走査方式がインターレース方式のＴＶが接続されている場合に、接続端子、テレビジョン方式または走査方式が、初期状態と異なる設定が行われた場合には、設定画面等が当該ＴＶに表示されなくなる。このような場合には、ユーザは、ユーザインタフェイス６（リモコン送信機および／またはＤＶＤプレーヤ本体に設けられた操作部）に設けられた映像出力方式初期化キー６ａを押し下げる。映像出力方式初期化キー６ａが押し下げられると、映像出力方式初期化指令がコントローラ５に入力される。
【００２１】
図４は、映像出力方式初期化指令がコントローラ５に入力されたときにコントローラ５によって行われる処理手順を示している。
映像出力方式初期化指令が入力されると（ステップＳ２１）、映像出力方式の設定のみを初期状態に戻す（ステップＳ２２）。これにより、設定画面がＴＶに表示されるようになる。なお、このように、映像出力方式初期化キーを押し下げても、映像出力方式以外の設定内容、例えば、オーディオ出力方式の設定内容は、変更されないので、映像出力方式以外の設定値であって、既に設定を行っている設定値を再設定する必要がない。
【００２２】
なお、映像出力方式初期化キーとして、上記のように専用のキーを設けてもよいし、ユーザインタフェイス６に従来から設けられている１つのキーを映像出力方式初期化キーとして割り当て、このキーが所定時間以上継続して押し下げられたときに、映像出力方式初期化指令がコントローラ５に入力されるようにしてもよい。
【図面の簡単な説明】
【００２３】
【図１】ＤＶＤプレーヤの電気的構成を示すブロック図である。
【図２】映像出力方式の設定処理手順を示すフローチャートである。
【図３】オーディオ出力方式の設定処理手順を示すフローチャートである。
【図４】映像出力方式初期化指令がコントローラ５に入力されたときにコントローラ５によって行われる処理手順を示すフローチャートである。
【符号の説明】
【００２４】
１  データ取得部
２  ストリームパーサ
３  オーディオ処理部
４  ビデオ処理部
５  コントローラ
６  ユーザインタフェイス
６ａ  映像出力方式初期化キー
【図１】
2006060750.tif 000003
【図２】
2006060750.tif 000004
【図３】
2006060750.tif 000005
【図４】
2006060750.tif 000006